(57)【特許請求の範囲】
【請求項１】
一体品であり、少なくとも１つの注入点での射出成形によって得られる成形品であって、外側包絡面を形成する外面内の空間によって画成される体積を有する本体（２０）と、前記本体（２０）と同じ成形時に得られるフック叢とを備え、各フックが、長手方向軸を有する支柱、および前記支柱から側方に突出する鉤状部分を有するものにおいて、
前記フックの体積が、前記本体（２０）の体積より少なくとも百分の１ほどに小さく、
前記長手方向軸に対して横断方向に測定した前記支柱の幅、または横断方向最小寸法が、前記支柱の長手方向軸に沿って測定した前記本体（２０）の厚さより小さい
ことを特徴とする成形品。
【請求項２】
前記フックの体積が、前記本体（２０）の体積より少なくとも千分の１ほどに小さいことを特徴とする、請求項１に記載の成形品。
【請求項３】
前記フックの体積が、前記本体（２０）の体積より１００，０００〜１００，０００，０００分の１ほどに小さいことを特徴とする、請求項１または２に記載の成形品。
【請求項４】
前記フック叢が、前記外面の１／２未満しか蔽わないことを特徴とする、請求項１〜３のいずれか一項に記載の成形品。
【請求項５】
前記フック叢が、前記外面の３０％未満しか蔽わないことを特徴とする、請求項４に記載の成形品。
【請求項６】
前記長手方向軸に沿って測定された各フックの最大高さ寸法が、前記支柱の長手方向軸に沿って測定された前記本体の厚さより小さいことを特徴とする、請求項１〜５のいずれか一項に記載の成形品。
【請求項７】
前記支柱の基部の幅、すなわち前記長手方向軸に対して横断方向の前記支柱の基部の最小寸法が、０．２９ｍｍ未満であることを特徴とする、請求項１〜６のいずれか一項に記載の成形品。
【請求項８】
前記支柱の基部の幅、すなわち前記長手方向軸に対して横断方向の前記支柱の基部の最小寸法が、０．０５ｍｍ〜０．１５ｍｍであることを特徴とする、請求項７に記載の成形品。
【請求項９】
前記フックが、０．９ｍｍ未満の大きさまたは高さを有することを特徴とする、請求項１〜８のいずれか一項に記載の成形品。
【請求項１０】
前記フックが、０．２ｍｍ〜０．７ｍｍの大きさまたは高さを有することを特徴とする、請求項９に記載の成形品。
【請求項１１】
前記成形品が、その外面に、射出成形によって成形品を製造する際に材料を注入する箇所に対応する窪みまたは点の形態の少なくとも１つの領域を備えることを特徴とする、請求項１〜１０のいずれか一項に記載の成形品。
【請求項１２】
前記成形品が、フック叢と反対側の成形品の表面は、前記少なくとも１つの領域を欠いていることを特徴とする、請求項１１に記載の成形品。
【請求項１３】
前記請求項１乃至１２のいずれか一項による成形品を、具体的には熱可塑性材料である成形材料を注入することによって成形するために成形型を形成する装置であって、主成形チャンバを画成する閉じた内面と、前記成形材料を前記成形チャンバに導き込むことができるようにするために、成形される前記成形材料を導入する少なくとも１つの開口と、前記内面の一部分（６’）に開口する、フックに相補的な形状の空洞叢とを備え、前記内面の前記一部分（６’）が、空洞を備えていない縁部面（６’’）によって囲繞されているものにおいて、前記縁部面（６’’）の少なくとも一部分と前記内面の対向部分（１１）とを互いに向けて押圧する手段が配置され、前記押圧手段による前記押圧が、互いに向けて押圧される前記２つの面（６’’）と（１１）とが互いに完全に接触することがないように制限されるように前記配置がなされることを特徴とする装置。
【請求項１４】
前記２つの面の間に常に間隙が存在することを特徴とする、請求項１３に記載の装置。
【請求項１５】
前記間隙が、０．０１〜０．１ｍｍであり、この間隙は、前記１つの面部分とその対向面とが最も遠く離れた１つまたは複数の地点において対面するこれら２つの表面の垂直方向に測定されることを特徴とする、請求項１４に記載の装置。
【請求項１６】
この間隙または遊びが、前記フックに相補的な形状を有する前記空洞の深さより少なくとも１０分の１ほどに小さいことを特徴とする、請求項１４または１５に記載の装置。
【請求項１７】
前記少なくとも一つの開口が、前記対向面以外の前記内面の一部分で前記成形チャンバ内に開口することを特徴とする、請求項１３〜１６のいずれか一項に記載の装置。
【請求項１８】
フックに相補的な形状を有する空洞叢が形成された上面を備えるインサート・ブロックを用意し、前記インサート・ブロックを、前記成形空洞内に取外し可能に配置し、前記押圧手段を前記インサート・ブロックに組み込み、前記インサート・ブロックの前記上面が、前記成形型の前記内面部分を構成するようにしたことを特徴とする、請求項１３〜１７のいずれか一項に記載の装置。
【請求項１９】
前記押圧手段が、少なくとも１つのばねを備えることを特徴とする、請求項１３〜１８のいずれか一項に記載の装置。
【請求項２０】
前記押圧手段が、油圧または空気ジャッキを備えることを特徴とする、請求項１３〜１９のいずれか一項に記載の装置。
【請求項２１】
請求項１３〜２０のいずれか一項に記載される成形型を形成する装置の成形空洞内に着脱可能な方法で配置されるように構成されたインサート・ブロック（５）であって、前記インサート・ブロック（５）は成形チャンバ（３）の内表面部分を形成するように構成された上表面（６）を備え、該上表面はフックに相補的な形状を備えた空洞叢（１２）が形成された中心部分（６’）と、該中心部分（６’）を囲繞するが空洞（１２）を備えない縁部面（６’’）とを含み、さらに、該インサート・ブロック（５）は成形チャンバ（３）の前記内表面部分に対向する部分（１１）に向けて前記縁部面（６’’）の少なくとも一部を押圧するように構成された押圧手段（１０）を具備してなる、インサートブロック。
【請求項２２】
自身の外面の一部分と一体になされたフック叢を備える成形品を成形によって製造する方法であって、請求項１３〜２０のいずれか一項による、成形型を形成する装置を用意するステップと、単一の導入ステップで開口を経由して熱可塑性材料を注入するステップとを含む方法。
【請求項２３】
成形型を形成する装置を用意し、
単一の連続的な注入ステップにおいて、成形材料を開口（４）を経由して注入する、
ことからなる連続的なステップを少なくとも有し、
前記注入ステップは、
間隙と成形型の空洞（１２）を除いて成形チャンバ（３）を全て満たすステップ、及び、
注入をし続けると同時に、成形材料の圧力を上昇させて、成形材料を押圧手段（１０）の力に抗して急速に間隙に導入し、少なくとも１つの成形型の空洞（１２）を満たすようにするステップ、
を含むことを特徴とする、請求項２２に記載の方法。
【発明の詳細な説明】
【技術分野】
【０００１】
本発明は、少なくとも１つの注入点からの射出成形によって得られ、外面内側の空間によって画成される体積を備えた本体を有する一体品の成形品に関し、該成形品の例としては自動車の内側ドア・パネルが挙げられる。
【０００２】
本発明はまた、上記タイプの成形品を射出成形によって形成するように設計された射出成形型を形成する装置、ならびに前述のタイプの成形型に挿入するように設計された成形型インサートを形成するブロックに関する。
【背景技術】
【０００３】
上記タイプの成形品は、従来技術において既知である。
【０００４】
その目的は、成形品の外面に少なくとも１つのフック、好ましくはフック叢を付加することであり、
１）その少なくとも１つのフック、好ましくはフック叢は、本体と同じ成形ステップによって得られ、本体と一体であり、
２）その少なくとも１つのフック、好ましくはフック叢は、フックの体積が本体の体積より実質的に小さく、すなわち、本体の体積より少なくとも百分の１ほどに小さく、好ましくは千分の１ほどに小さく、たとえば１００，０００〜１００，０００，０００分の１ほどに小さく、
３）その少なくとも１つのフック、好ましくはフック叢のフックは細く、すなわち、その基部のレベルでの最小の横断方向寸法が、面に垂直な直線に沿って測定された該基部のレベルでの成形品の厚さより小さい。
【０００５】
前記フックまたは各フックは、該成形品を別の品物に固定するために、具体的には、たとえばこの別の品物のループまたはフックと協働するように、フックとループ、またはフック中のフックによる自己把持機構の雄部分を形成するように設計されている。
【０００６】
本出願では、フックとは、支柱と、支柱から側方に突出した捕捉部分とを備える要素を意味し、具体的には銛状、２重フック状、マッシュルーム状などである。
【０００７】
今まで、従来技術では、具体的には欧州特許第０，５７７，６９７号公報に記載されているように、単一の成形型で部品を成形することによって、薄い板と、太いフック、具体的には板の厚さより大きな幅を有するフックとを備える、フック付きの板を形成することは既に可能であった。しかし、それに記載の方法では、その支柱の幅の寸法が極めて小さいフックを得ることは不可能である。
【０００８】
欧州特許第０，５７７，６９７号公報では、ループと協働するように設計されたフック叢を同じ成形型で成形品（整形外科用膝当て）の外面に成形するために、射出成形が使用されている。従来、成形型の内面の一部分に、製造されるべきフックにほぼ相補的な形状の空洞叢が設けられていた。この空洞叢は、最終的成形品のフックを形成すべき正確な位置にフックを形成するのに適切な位置に配置される。次いで、具体的には熱可塑性物質であり、成形型の内部空間およびさらにフックの成形空洞も充填する成形材料が成形型に注入され、それによって、成形品の外面の一部と一体に形成されたフック叢を備える成形品が得られる。
【発明の概要】
【発明が解決しようとする課題】
【０００９】
しかし、この成形型およびこの方法では、体積および／または幅の小さいフックを有する成形品の製造はできない。
【００１０】
実際、フックを形成するための空洞の寸法が最終成形品の体積に比較して小さいため、熱可塑性材料の注入圧力が、該空洞内に効果的に熱可塑性材料を進入させるに十分でないという欠点がある。
【００１１】
空洞叢の空洞を熱可塑性材料によって充填することについての品質を向上させ、フックのレベルでの成形品の厚さより小さな高さおよび幅を有するフックを得ることを可能にするオーバー・モールディングに基づくシステムが、従来技術、具体的には米国特許第６，２２４，３６４号明細書において既に知られている。しかし、この先行文書に提案された技術はいくつかの欠点を有する。第１に、得られる最終品は一体品ではなく、互いにオーバーモールドされた２部片の状態であり、成形品の材料自体内の界面によって分けられており、その界面はフックを成形品の残りの大部分から分けている。他方では、この界面は、成形品に脆弱性を内包させ、その脆弱性はその成形品の耐用寿命にとって有害である。実際に、この界面は、フックの引張に対する耐性が低下した領域を最終的に形成し、成形品の急速な劣化を生じさせ、具体的にはフック叢の領域を成形品から剥離させることがあり、それにより、成形品を固定すべきループまたはフックを有する別の品物と協働させて該成形品を使用できなくする。さらに、成形型を形成する装置は構造が複雑であり、それにより、材料を注入するための複数の開口、特に、フックを形成する空洞叢に対向する注入用開口を設け、また、成形型のその他の部分に対して移動可能な部分を有することを必須とし、その可動部分は、特にシールおよび長期信頼性に関して設計上および使用上両方の難点の原因となる。さらに、一旦成形型が構成されると、この空洞叢の位置を成形型内のいずれの場所にせよ変更することに困難を伴い、成形型を完全に作り直さなければならなくなる。以上に既述した方法はまた、２段階であるという欠点を有し、それにより、最終成形品の製造時間が長くなる。
【課題を解決するための手段】
【００１２】
本発明によれば、一体品であり、少なくとも１つの注入点での射出成形によって得られる成形品であって、外側包絡面を形成する面内の空間によって画成される体積を有する本体と、成形品の本体と同じ成形時に得られる少なくとも１つのフック、好ましくはフック叢とを備え、前記フックまたは各フックが、長手方向軸を有する支柱、および支柱から側方に突出する捕捉部分を有するものにおいて、
フックの体積が、本体の体積より実質的に小さく、すなわち、本体の体積より少なくとも百分の１ほどに小さく、好ましくは千分の１ほどに小さく、たとえば１００，０００〜１００，０００，０００分の１ほどに小さく、
長手方向軸に対して横断方向に測定した支柱の幅、または横断方向最小寸法が、支柱の長手方向軸に沿って測定した本体の厚さより小さい
ことを特徴とする成形品を得ることが初めて可能になった。
【００１３】
好ましくは、長手方向に沿って測定された前記フックまたは各フックの最大高さ寸法は、支柱の長手方向軸に沿って測定された本体の厚さより小さい。
【００１４】
好ましくは、フック叢が、外面の小さな部分しか蔽わず、その部分は、具体的に、厳密にはこの外面の１／２未満、好ましくは３０％未満である。
【００１５】
好ましくは、支柱の基部の幅は、０．２９ｍｍ未満であり、具体的には、０．０５〜０．１５ｍｍである。
【００１６】
このタイプの成形品を得るために、本発明の別の態様によれば、成形品を、成形材料、具体的には熱可塑性材料を注入することによって成形するために成形型を形成する装置であって、主成形チャンバを画成する閉じた内面と、注入によって成形材料を成形チャンバに導き込むことができるようにするために、成形される成形材料を導入する少なくとも１つの開口と、内面の一部分に開口する、少なくとも１つのフックに相補的な形状の少なくとも１つの空洞、好ましくは空洞叢とを備え、内面の前記一部分が、空洞を備えていない縁部面によって囲繞されているものにおいて、縁部面の少なくとも一部分と内面の対向部分とを互いに向けて押圧する手段が配置され、押圧手段による押圧が、互いに向けて押圧される２つの面が互いに完全に接触することがなく、具体的には２つの面の間に常に間隙が存在するべく制限されるように前記配置がなされることを特徴とする装置を使用することが可能である。
【００１７】
本発明は、簡単な構造を有する成形型を形成し、具体的には、熱可塑性材料を注入するのに単一の開口を必要とするだけでもよく、成形品と一体のフックを備える最終成形品を得ることを可能にし、フック叢を成形品の外面の実質的にいずれの位置にでも配置することができ、真に一体である成形品とフック叢とを得ることを可能にし、具体的には、成形品の主要部分とフック叢との間に界面を含むことなく、そのフックが成形品の本体に対して小さな寸法を有する装置を提案することによって従来技術による装置の欠点を克服する。
【００１８】
米国特許６，２２４，３６４号明細書に記載のタイプの公知のシステムでは、フックを形成するように意図された熱可塑性材料が、従来のシステムよりもより効果的な方式では空洞への侵入を補助されておらず、そこでは、フックを形成する空洞が、成形空洞の充填の最後にフックが形成されるように配置されているに過ぎない。具体的には、本発明の発明者らは、躊躇として分類することができる現象が起きることに気付いた。その現象は、材料が、フックを形成するために空洞に侵入することを「躊躇する」ことからなり、次いで、空洞の開口を遮蔽し材料が空洞に侵入するのを妨害する一種の膜が形成され、その結果、成形品が成形型から引き抜かれたとき、成形品がフックを有さないか、または空洞の数よりもフックが叢から欠落する。他方、本発明によれば、フックを成形する空洞へ熱可塑性材料を導入する加圧を確実に、極めて大きく、極めて迅速で、具体的には従来公知のシステムより急速にすることによって、熱可塑性材料およびフックの空洞の形状が同じであっても、空洞への材料の進入が改善される。圧力のこの急速な増加が、空洞の開口の前面に材料が到着する速度を増加させる効果を有し、それが、従来技術で生じたような膜の形成を防止する結果につながり、その結果、相対的に体積の小さなフックを得ることが可能になる。
【００１９】
好ましい実施形態によれば、主成形チャンバは、成形される成形品に実質的に相補的である形状を有する。
【００２０】
好ましくは、間隙は寸法が極めて小さく、具体的には０．０１〜０．１ｍｍである。
【００２１】
本発明によれば、この間隙は、前記１つの面部分とその対向面とが最も遠く離れた１つまたは複数の地点において対面するこれら２つの表面の垂直方向に測定される。
【００２２】
具体的には、この間隙または遊びは、フックに相補的な形状を有する空洞の深さよりはるかに小さく、具体的には少なくとも１０分の１ほどに小さく、好ましくは、少なくとも百分の１ほどに小さい。
【００２３】
このように、本発明によれば、成形品の大部分が形成された後にフックを有する部分を形成するために、前記対向面に開口する開口を設ける必要はなくなる。具体的には、単一の開口を経由して熱可塑性成形材料を導入することが可能であり、この熱可塑性材料が、フックを有する面とその対向面との間の間隙を除いて、主チャンバの全体を充填し、間隙の寸法は、実際に非常に小さく選択されているので、チャンバの実質的に全体が成形材料によって充填されたときに蔓延する圧力に相当する圧力が熱可塑性材料に加わらない限り、熱可塑性材料は間隙に進入することはできず、チャンバの大部分（すなわち間隙以外）が充填され、熱可塑性材料の圧力が増加したときにのみ、押圧手段によって生成される力に対抗しながら、熱可塑性材料は間隙に浸入することができる。材料が間隙に浸入し始めるとすぐに、材料によって加えられる力は押圧力よりはるかに大きくなる。次いで、空洞上の空間が突然開放され、次いで、材料が、その空間、ならびにフックを形成する空洞を、極めて急速に、極めて高圧下で、爆発的に充填する。
【００２４】
成形が、熱可塑性材料を成形型に導入または注入する単一のステップで実施されるので、従来技術の場合のように、フックを形成するために、熱可塑性材料の大部分が冷却されるのを待って事後的にフックを成形する必要がなく、したがって、フック叢と成形品のその他の部分との間の母材に界面が形成されることなく、成形品とフックとは一体品として均一に形成される。得られる製品の独特の特徴の１つは、材料が、押圧されている領域外周全体を経由して進入し、フック叢の形状によって、点、直線、または星形でもよいパターンに従って中央領域に集まることである。工程の速度故に、材料の先頭が冷却される時間がないので、接合領域には、フックと成形品のその他の部分との間に真の界面が形成されず（具体的には、裸眼で視認できる界面は存在しない）、したがって、それによって、部品に脆弱性の大きな領域は形成されない。具体的には、分子配向を解析することによってのみ、この領域を明らかにすることができる。
【００２５】
好ましくは、具体的には熱可塑性材料を成形型に注入するための少なくとも１つの開口、具体的には（１つまたは複数の）導入開口が、前記対向面以外の内面の一部分で成形チャンバ内に開口する。
【００２６】
好ましい実施形態によれば、縁部領域全体が、対向面部分から離隔して保持される。
【００２７】
好ましい実施形態によれば、縁部領域と内面とは、互いに連続しており、対向面から離隔して保持される。
【００２８】
別の可能な実施形態によれば、縁部領域は内面部分の肩部によって構成され、縁部部分のみが対向面から離隔して保持される。
【００２９】
別の可能な実施形態によれば、縁部部分は、対向面にその上端で接触する湾曲部を備え、縁部領域のその他の部分は対向面から離隔して保持される。
【００３０】
好ましい実施形態によれば、縁部領域の一部分のみが、対向面から離隔して保たれる。
【００３１】
特に好ましい実施形態によれば、フックに相補的な形状を有する空洞または空洞叢が形成された上面を備えるインサート・ブロックが提供され、そのインサート・ブロックが、成形空洞内、具体的には完成品のフックが形成されるべき位置に取外し可能に配置され、押圧手段がインサート・ブロックに一体にされ、インサート・ブロックの上面が、成形型の前記内面部分を構成する。
【００３２】
したがって、フック叢を成形品の任意の位置に形成するために、インサート・ブロックは、成形型の既存の設計によって拘束されることなく、成形空洞内のフックを形成すべき位置に配置される。
【００３３】
本発明の好ましい実施形態によれば、押圧手段は、少なくとも１つのばねを備える。押圧手段を油圧または空気ジャッキによって構成することも可能である。
【００３４】
本発明はまた、本発明による成形装置に使用されるインサート・ブロックに関する。
【００３５】
本発明はまた、その外面の一部分と一体に得られるフックまたはフック叢を備える成形品を成形によって製造する方法であって、成形型を形成する本発明の装置を用意するステップと、単一の導入ステップで、具体的には注入ステップで開口を経由して熱可塑性材料を注入するステップとを含む方法に関する。
【００３６】
たとえば自動車のドア・パネルの場合には、上記比率は１０５を超え得る。
【００３７】
好ましくは、フックは、０．９ｍｍ未満、具体的には０．２ｍｍ〜０．７ｍｍの大きさまたは高さを有する。
【００３８】
具体的には、成形品は、その外面に、射出成形によって成形品を製造する際に材料を注入する箇所に対応する窪みまたは点の形態の少なくとも１つの領域を備える。
【００３９】
次に、例示のために、本発明の好ましい実施形態について、図面を参照して記述する。
【図面の簡単な説明】
【００４０】
【図１】図１は、本発明による、成形型を形成する装置の横断面図である。
【図２】図２は、図１の成形型を形成する装置のインサート・ブロックの斜視図である。
【図３】図３は、図２の部分切欠図である。
【図４】図４ａ、４ｂ、および４ｃは、夫々図１〜３の成形型を形成する装置が使用されるとき、成形工程の進行を説明する概略図である。
【図５】図５は、本発明による成形型インサートの別の可能な実施形態の、図３の図と実質的に同等な図である。
【図６】図６は、本発明による成形方法を実行中の、熱可塑性材料の注入圧力を時間の関数として示す曲線を表す線図である。
【図７】図７ａ、７ｂ、７ｃ、７ｄ、７ｅ、および７ｆは、縁部領域、空洞内の面、および対向面の、本発明による可能な複数の配置を記載する概略図である。
【図８】図８ａおよび８ｂは、本発明による装置の別の実施形態を示す図であり、他の図の実施形態と同じ機能を有する部品は、同じ参照番号を有する図である。
【図９】図９は、図４ａの成形ステップの最後に得られる成形品の横断面図である。
【発明を実施するための形態】
【００４１】
図１は、主として２つの部品１および２によって構成される成形型を表し、それらの部品は、成形する成形品の形状を有する成形チャンバ３を画成するために互いに閉じ合う。熱可塑性成形材料を注入することによって導入するための開口４が、上側部品１に形成されている。インサート・ブロック５が、成形チャンバ３内に配置される。インサート・ブロック５は、空洞内の実質的にどこにでも配置することができる。ただし、インサート・ブロック５は、決して開口４に対向して配置してはならない。
【００４２】
インサート・ブロック５は、図２および３により良く表されているところを見ることができるが、実質的に直角平行６面体によって構成され、その上面６には、成形品の外面に形成すべきフックに相補的な形状を有する空洞１２の叢が形成されている。インサート・ブロックは、平行６面体基礎ブロック７と、可動ブロック８とを備える。ブロック７は、チャンバ３の内面９に対して固定（好ましくは取外し可能なように）されるように設計され、他方、ブロック８は、ブロック７に対して可動式であり、したがって成形型に対しても可動式である。ばね１０が、ブロック５に組み込まれ、可動ブロック８をチャンバの内面の一部に向かって押圧し、具体的には、可動ブロック８の、フックに相補的な形状を有する空洞１２を備える上面６に実質的に対向する、チャンバの内面の一部分１１に向かって押圧する。可動ブロックの上面６は、２つの部分に小分割することができる。すなわち、最外部のフック空洞によって画定される中央部分６’と、中央部分６’を取り囲む縁部６’’とである。
【００４３】
ばねは、無負荷のときに、すなわち、具体的には、空洞に注入される熱可塑性材料の圧力がないときに、上面６が、面１１から近距離にあるように、具体的には、約０．０１〜０．１ｍｍなどの間隙または遊びが形成されるように調整される。この遊びは、２つの面６と１１とが互いに完全には接触しないようになっており、しかし、間隙および空洞１２以外のチャンバ全体が完全に充填されるまでは熱可塑性材料が遊びに浸入できないようになっている。具体的には、上面６の、空洞のない縁部部分または領域６’’は、対向する表面部分１１から間隔を保っている。
【００４４】
この遊びは、成形型の、相補的形状を有する空洞の深さの（またはフックの高さの）１／１０〜１／１００に相当する。
【００４５】
インサート５の上面６は内面９に対して寸法が小さく、その結果、インサートはチャンバ３の残りの空間によって全体的に囲まれていることに留意されたい。
【００４６】
成形型を形成する装置の使用法は以下の通りである。チャンバ３に相補的な形状を有する成形品を形成するために、液体状熱可塑性材料が開口４を経由して注入される。最初に、熱可塑性材料は、その進行に対して抵抗が最小である空間に導入され、すなわち、熱可塑性材料は、面１１と面６との間隙を除いてチャンバ３の全部に充填される。その間隙は小さすぎて、熱可塑性材料は、加圧なしに、またはチャンバ３全体を充填するときに存在する圧力より低い圧力で、それ自体でその間隙に入り込むことができない。チャンバ３の実質的に全部が充填されると、熱可塑性材料の導入が続けられることによって、チャンバ３内に占めた空間内の熱可塑性材料の圧力が上昇し、次いで、熱可塑性材料は、この圧力の作用の下に、対向する２つのフック面（６と１１）の間隙に進入し、圧力は、急激に、材料がこの間隙に急速に導入され、ばね１０の力に対抗してインサート・ブロック、具体的にはその可搬部分８を押圧するようになる。このばねが存在し、間隙が小さいことは、熱可塑性材料が導入され始めるために必要な圧力が高くなることを意味する。その結果、熱可塑性材料の間隙への進入は急激に、大きな力および大きな運動エネルギーを伴ってほぼ爆発と同じように起こり、その結果、熱可塑性材料は、フックに相補的な形状を有する空洞１２に効果的に導入され、フックが良好に「形成」される。
【００４７】
フックが形成された後は、熱可塑性材料の導入を停止し、熱可塑性材料を冷却させ、最終的成形品をチャンバ３から抜き取るために半割り成形型１を半割り成形型２に対して開く。その最終的成形品は、その上面に、インサート・ブロック５の上面６にある成形型の空洞１２に相補的な形状を有するフック叢を備える。このフック叢は、成形品のその他の部分と一体であり、具体的には、成形品の母材中に分け目を形成する界面は存在しない。
【００４８】
図４Ｃのステップの最後に得られる成形品が、図９に示されている。その成形品は、板の形状の本体２０（フックを除く）と、その板から突出し、その板と一体品の状態で一体化されており、具体的には同じ成形型から得られるフック２１とを備える。フックがそこから突出する板の下面に垂直な方向に、各フックの高さｈは板の厚さｅより小さい。この２つの値は、この事例では本体２０の外面にやはり垂直である、それぞれのフックの支柱の軸に沿って測定される。支柱の基部の幅は、支柱の軸に垂直な平面上で測定して、板の厚さｅより小さい。さらに、フック叢は、板の下面の一部分しか蔽わず、それが蔽うのは、板の外面全体の５０％未満である。この事例では、図９がフックのレベルでの断面図であることを考えれば、フック叢は板の３０％未満を蔽い、実際には１０％未満にさえなる。フック叢は、図９に垂直な方向に、板に対する相対寸法でしか延在せず、その相対寸法は、図に示された方向にフック叢が延在する相対寸法と同等であり、この相対寸法は、図２、３、または５のインサート５の形態から容易に導き出せる。
【００４９】
図５に示された実施形態によれば、上面の縁部領域６’’は湾曲している。この湾曲部は、対向する表面部分１１と協働して、外縁部に沿って一種の楔を確実に形成し、その楔は、熱可塑性材料が２つの面６と１１との間に進入しようとするとき、それら２つの面が中央領域６’のレベルでは互いに接触していようとも、熱可塑性材料の進入を容易にすることを可能にする。とは言っても、外縁部領域のレベルでは２つの面は接触していないので、２つの面の接触は完全ではない。
【００５０】
図示されていないが本発明に包含される別の実施形態によれば、内面９、具体的には面の一部分１１に空洞を形成し、上面６は完全なブロックから形成（すなわち空洞無しに）することもまた可能である。このタイプの実施形態では、最終的成形品の必要な場所のどこにでもフック叢を配置することができるという利点は、明らかに得られないが、本発明の重要な効果の１つが得られ、すなわち事実上瞬間的な注入によってフックが形成される。
【００５１】
図７ａに概略的に示されている実施形態では、縁部領域６’’は、中央領域６’に対する肩部として構成され、押圧手段が、面６’を押圧して対向面１１に接触させるが、肩部が縁部領域６’’を対向面からの間隔を保たせる。
【００５２】
図７ｂに概略的に示されている実施形態では、縁部領域６’’は、中央領域６’に対して突出した湾曲部を備え、押圧手段が、領域６’’の湾曲部の上端を押圧して対向面１１に接触させる。しかし、中央領域６’の外側の湾曲部の傾斜部分が、対向面から間隔を保っており、それにより、圧力が押圧手段の力に十分に対抗するようになったとき、熱可塑性材料が進入し、入って行くことができる楔を生成する。
【００５３】
図７ｃに概略的に示されている実施形態では、２つの突起３０が中央領域６’の面から突出しており、押圧手段がこれら突起を押して対向面１１に接触させるが、面６の残りの部分、具体的には縁部領域６’’は対向面から間隔を保つ。
【００５４】
図７ｄに概略的に示されている実施形態では、縁部領域６’’のみが押圧手段によって押圧され、中央フック領域６’は、対向面に対して固定され、それとは間隔が置かれている。押圧手段は、領域６’’（中央領域６’を囲繞している）を対向面に向かって押すが、領域６’’をこの対向面から間隔を置いて保つ。成形材料の圧力が、押圧手段の力に十分に対抗するようになったとき、領域６’’が対向面から離れて行き、材料が中央領域６’に浸入することができる。
【００５５】
図７ｅまたは７ｆに概略的に示されている実施形態では、縁部領域６’’が、偏心した部分を有する。押圧手段が、上面６（中央領域６’および偏心縁部領域６’’によって構成される）を対向面に向かって押す。ただし、押圧力は、偏心部分が対向面から小さな間隙によって離隔されたままになるように制限され、面６のその他の部分は対向面に接触する。
【００５６】
図６は、熱可塑性材料の注入圧力を与える曲線が取る形を、成形品を製造している間の時間の関数として、概略的に示す。最初の時間間隔Ｉでは、圧力は、間隙およびフック空洞を除くチャンバの容積を充填することに対応して、通常の増加の仕方で上昇する。間隔Ｉが過ぎた後、圧力Ｐｍａｘに達するまで、間隔ＩＩの間、圧力はより急速に増加する。極めて短い間隔ＩＩＩの間、間隙および空洞の充填が行われ、注入圧力は僅かに減少した後、もう一度増加する。本発明によれば、注入は、連続的に、単一のステップで行われる。
【００５７】
図８ａおよび８ｂは、本発明による成形装置の別の実施形態を示す。
【００５８】
図８ａに見ることができるように、インサート・ブロック５は、２つのサブ・ブロック５１および５２を備える。上側ブロック５１は、その内部に、その上面６の反対側で、下側で開口しサブ・ブロック５２を受け入れる受容部５３を画成する。サブ・ブロック５２には、２つの横向きの陥凹部５４が形成され、その陥凹部５４はサブ・ブロック５２の側面に開口し、その陥凹部５４には２つのばね５５がそれぞれ受け入れられ、それぞれのばねがその自由端に突起物５６を備える。サブ・ブロック５１の内側側壁には、突起物５６に実質的に相補的な形状を有する２つの窪み５７が形成されている。
【００５９】
図８ａに示されている位置では、上面６は、成形型の面１１から離隔している。ばね５５によって押圧されている突起物５６は、陥凹部５４から突出し、少なくとも部分的に窪み５７に嵌まり込み、それにより、２つのサブ・ブロックが互いに一体になる。図８ａに示されるこの位置から開始されて、熱可塑性材料が成形型に導入される。材料の圧力が十分になると、サブ・ブロック５１が押し下げられ、同時に突起物が陥凹部５４に押し込まれ、その結果、サブ・ブロック５１と５２とは互いに解放され、図８ｂに示される位置に移行し、それにより、面１１と６との間に大きな間隙が開けられることによって、空洞１２を充填できるようになる。部品が冷却されれば、エゼクタ５８が部品を成形型の外に押し出し、成形されたフックの牽引力により、２つのサブ・ブロックが図８ａの位置に十分に戻される。
【００６０】
本発明において、インサート・ブロックの上面（図面では参照番号６を有する）とは、インサート・ブロックを垂直方向に上から見たときに見える、ブロックの外面上のすべての箇所を意味する。また、中央部分（図面では参照番号６’を有する）とは、フックを形成するように設計された空洞のすべてがその中に開口する、上面の中央部分を意味し、該中央部分は、すべての空洞の最も外側にある空洞の開口の最も外側の縁の最も外側の点により、かつ、これらの点を互いに連結する直線によって確定され、その結果、そのようにして得られた閉曲線はその内部にすべての空洞を含む。最後に、縁部部分（図面では参照番号６’’を有する）とは、中央部分を画定する前記曲線の外側の上面部分である。縁部部分は、中央部分を囲繞する。
【図１】
0005538377.tif 000002
【図２】
0005538377.tif 000003
【図３】
0005538377.tif 000004
【図４】
0005538377.tif 000005
【図５】
0005538377.tif 000006
【図６】
0005538377.tif 000007
【図７】
0005538377.tif 000008
【図８】
0005538377.tif 000009
【図９】
0005538377.tif 000010